(57)【要約】【課題】外径の異なる数種の竪樋を簡単且つ確実に固定することができる竪樋保持具を提供する。【解決手段】竪樋保持具は、固定杆２を備えた半円環状の固定支持部３と、この固定支持部３の一端部に回動自在に枢着された半円環状の可動支持部４とからなり、固定支持部３の他端部を細幅端部３ａに形成してこの細幅端部３ａの外周面に周方向に小間隔毎に複数個の鋸歯状係止片５ａ〜５ｃを突設している一方、可動支持部４の自由端部に上記細幅端部３ａを受け入れる凹部７を設けてこの凹部７の内面に上記鋸歯状係止片５ａ〜５ｃに係止可能な係止爪６を突設してあり、上記凹部７内に細幅端部３ａを挿入させて竪樋の径の大小に応じて係止爪６を鋸歯状係止片５ａ〜５ｃのいずれかに食い込み状態に係止させるように構成している。【選択図】　　図２
2004076270.tif 000002
【特許請求の範囲】
【請求項１】
竪樋を固定するための円環状支持体とこの円環状支持体を建築物の外壁面に固定するための固定杆とからなり、上記円環状支持体は硬質合成樹脂製であって半円環状の固定支持部と可動支持部とに分割され、可動支持部は、その一端部を上記固定支持部の一端部に回動自在に枢着していると共に他端部の内周面に円環状支持体の中心に向かう法線に対して該可動支持部の開口側とは反対方向に傾斜した傾斜係止面を有する係止爪を形成している一方、上記固定支持部の他端部外周面に、周方向に小間隔毎に上記係止爪と係止する係止面を法線に対して先端から基端にゆくに従って該固定支持部の開口側に向かって傾斜した傾斜面に形成している数個の鋸歯状の係止片を一体に突設して、係止爪を係止片に食い込む方向に係止させるように構成していることを特徴とする竪樋保持具。
【請求項２】
数個の鋸歯状係止片を設けている固定支持部の他端部における上下部を切除して細幅端部に形成する一方、係止爪を設けている可動支持部の他端部に上記固定支持部の細幅端部を受け入れてこの細幅端部の内周面と可動支持部の内周面とを段差を生じさせることなく面一状に連接させる凹部を形成し、この凹部の内面に係止爪を形成していることを特徴とする請求項１に記載の竪樋保持具。
【請求項３】
数個の鋸歯状係止片を可動支持部の他端部内周面側に設ける一方、これらの係止片に係止する係止爪を固定支持部の他端部外周面側に設けていることを特徴とする請求項１又は請求項２に記載の竪樋保持具。
【発明の詳細な説明】
【０００１】
【発明の属する技術分野】
本発明は、竪樋を建築物の外壁面に配設するのに用いられる竪樋保持具の改良に関する。
【０００２】
【従来の技術】
従来から、建築物の屋根に降り注いだ雨水を地上に排出するための竪樋を建築物の外壁面に配設することが行われている。
【０００３】
このような場合に用いられる竪樋保持具としては、竪樋を固定するための円環状支持体と、この円環状支持体を建築物の外壁面に固定するための固定部材とからなり、上記円環状支持体を、上記固定部材が一体に設けられた半円環状の固定支持部と、可動支持部とに分割していると共に、可動支持部の一端部を固定支持部の一端部に回動自在に枢着してあり、更に、上記可動支持部の他端部と固定支持部の他端部との夫々に、互いに分離可能に係止しあう係止部を形成してなるものが知られている。
【０００４】
【発明が解決しようとする課題】
しかしながら、上述の竪樋保持具は、円環状支持体の内径を拡縮調整させるような構成を何ら有しておらず、円環状支持体はその内径に応じた外径を有する竪樋しか固定させることができない。
【０００５】
従って、外径の異なる複数種類の竪樋に対しては、これら竪樋の夫々の外径に合致した内径を有する円環状支持体を備えた竪樋保持具を、竪樋の種類と同数の種類だけ用意しなければならなく、その上、施工に際しては、竪樋に適合する竪樋保持具であることを確かめた上、作業を行わなければならなかった。
【０００６】
このため、半円環状の可動支持部の他端部に外周面を連続鋸歯形状の係止面に形成しているバンド部を設ける一方、固定支持部の他端部にこのバンド部を挿通させる孔を有する保持部を形成し、この孔の内周面に上記係止面と係止する係止突条を形成してなる竪樋保持具が開発されている。
【０００７】
この竪樋保持具によれば、可動支持部の他端部に設けているバンド部を固定支持部の保持部の孔に挿通する長さの長短によってこの保持具の内径を拡縮させることができるので、外径の異なる数種類の竪樋を固定することができるが、竪樋の施工時においては、可動支持部側の上記バンド部を固定支持部側の保持部の孔に合わせて挿通させる操作を必要し、足場が不安定な現場でのこのような作業が煩わしく且つ困難を伴う虞れがある。
【０００８】
その上、可動支持部の他端部に設けている上記バンド部の外周面に連続鋸歯形状の係止面を形成する一方、固定支持部の上記保持部の孔の内周面に該係止面に係止する係止突条を形成しているため、バンド部を固定支持部側の上記保持具の孔に挿通すると、孔から突出したバンド部が固定支持部の内周面に重なり合った状態となり、竪樋の外周面を抱持する保持具の内周面に段差が生じて竪樋に対する保持力が不均一で且つ不安定となるといった問題点がある。
【０００９】
また、可動支持部側のバンド部を固定支持部側の保持部の孔に挿通させてバンド部を押さえた構造にしておかなければならず、構造が複雑化してコスト高になるという問題点があった。
【００１０】
本発明は、このような問題点に鑑みてなされたものであって、その目的とするところは、外径の異なる数種の竪樋を簡単な構造によってワンタッチで且つ安定した状態で強固に固定し得るようにした竪樋保持具を提供することにある。
【００１１】
【課題を解決する手段】
上記目的を達成するために、本発明の竪樋保持具は、請求項１に記載したように、竪樋を固定するための円環状支持体とこの円環状支持体を建築物の外壁面に固定するための固定杆とからなり、上記円環状支持体は硬質合成樹脂製であって半円環状の固定支持部と可動支持部とに分割され、可動支持部は、その一端部を上記固定支持部の一端部に回動自在に枢着していると共に他端部の内周面に円環状支持体の中心に向かう法線に対して該可動支持部の開口側とは反対方向に傾斜した傾斜係止面を有する係止爪を形成している一方、上記固定支持部の他端部外周面に、周方向に小間隔毎に上記係止爪と係止する係止面を法線に対して先端から基端にゆくに従って該固定支持部の開口側に向かって傾斜した傾斜面に形成している数個の鋸歯状の係止片を一体に突設して、係止爪を係止片に食い込む方向に係止させるように構成している。
【００１２】
上記のように構成した竪樋保持具において、請求項２に係る発明は、上記数個の鋸歯状係止片を設けている固定支持部の他端部における上下部を切除して細幅端部に形成する一方、係止爪を設けている可動支持部の他端部に上記固定支持部の細幅端部を受け入れてこの細幅端部の内周面と可動支持部の内周面とを段差を生じさせることなく面一状に連接させる凹部を形成し、この凹部の内面に係止爪を形成していることを特徴とする。
【００１３】
一方、請求項３に係る発明は、上記数個の鋸歯状係止片を可動支持部の他端部内周面側に設ける一方、これらの係止片に係止する係止爪を固定支持部の他端部外周面側に設けていることを特徴とする。
【００１４】
【作用】
本発明の竪樋支持具を用いて竪樋を建築物の外壁面に配設するには、まず、上記固定杆により円環状支持体を建築物の外壁面における竪樋配設位置に上下方向に所定間隔毎に固定したのち、半円環状固定支持部と共にこの円環状支持体を形成している半円環状可動支持部を外側に回動させて固定支持部を開放させた状態にする。
【００１５】
この状態にして竪樋を固定支持部の開口側からこの固定支持部内に挿入してその一半円部分の外周面を固定支持部の半円環状内周面で受止させる。しかるのち、可動支持部を固定支持部の開口端を閉じる方向に回動操作して竪樋の他半円部分の外周面に被せると共に該可動支持部の他端部内周面に形成している係止爪を固定支持部の対向端部の外周面に形成している鋸歯状係止片に係止させることにより可動支持部の半円環状内周面を竪樋の他半円部分の外周面に圧接させ、これらの可動支持部と固定支持部とによって竪樋の所定箇所を全周に亘って均一に且つ強固に抱着、固定する。
【００１６】
この際、上記鋸歯状係止片は固定支持部の円弧状に湾曲した他端部外周面に形成されている一方、係止爪は可動支持部における他端部の内周面に形成されているので、固定支持部の半円環状の内面で一半円部分が受止されている竪樋に対して可動支持部をこの竪樋の他半円部分に被せるように操作するだけで、該可動支持部の係止爪が固定支持部の鋸歯状係止片に自動的に且つワンタッチで係止させることができる。
【００１７】
その上、可動支持部の他端部内周面に設けている上記係止爪は、上記固定支持部の他端部外周面に突設した鋸歯状係止片に対する係止面を円環状支持体の中心に向かう法線に対して該可動支持部の開口側とは反対方向に傾斜させている一方、上記鋸歯状係止片の係止面を法線に対して先端から基端にゆくに従って該固定支持部の開口側に傾斜した傾斜面に形成してあり、且つこれらの係止爪と鋸歯状係止片とは硬質合成樹脂製であって剛性を維持しているので、これらの係止爪と鋸歯状係止片とが係止したのちに、可動支持部による竪樋の締付力の反力や地震時等の振動によって該可動支持部を開放しようとする方向に圧力が作用しても、その作用力が係止爪をさらに鋸歯状係止片に食い込ませる方向に働いて、逆に竪樋に対する締付力が強固となるものである。
【００１８】
従って、係止爪を鋸歯状係止片に押しつけておくような部材や形状等を不要にして構造が極めて簡素化され、多量生産に適すると共に安価に提供することができる。
【００１９】
さらに、可動支持部の係止爪を固定支持部の鋸歯状係止片に係止させる際に、可動支持部を竪樋の締付け方向、即ち、この可動支持部と固定支持部とによって形成される円環状の内周面を縮径させる方向に回動操作すると、係止爪における係止面とは反対側の傾斜面が鋸歯状係止片の係止面とは反対側の傾斜面に乗り上げながら通過して円滑に竪樋の固定作業を行うことができると共に、鋸歯状係止片は固定支持部の他端部において周方向に小間隔毎に設けているので、これらの鋸歯状係止片の対する可動支持部の係止爪の係止位置によって固定支持部と可動支持部との内周面により形成される円形状の孔の径が大小に変化する。従って、外径の異なる数種類の竪樋に対してもこの保持具によって簡単且つ確実に固定することができるものである。
【００２０】
【発明の実施の形態】
本発明の実施の形態の一例について、以下に、図面を参照しつつ説明する。竪樋保持具Ａは硬質合成樹脂製であって、図１に示したように、竪樋Ｂを抱持、固定するための円環状支持体１と、この円環状支持体１を建築物の外壁面Ｃに固定するための釘からなる固定杆２とから形成されている。
【００２１】
上記円環状支持体１は、上下方向に一定幅を有し且つ一定の肉厚を有する平面円環状に形成されてなり、この円環状支持体１を平面半円環状の固定支持部３と、同じく平面半円環状の可動支持部４とに２分割してあり、固定支持部３の円弧長方向の中央部に上記固定杆２を外方に向かって突設させた状態で装着してなり、この固定杆２を建築物の外壁面Ｃに打ち込むことにより固定支持部３を建築物の外壁面Ｃに固定させるように構成している。
【００２２】
この固定支持部３と可動支持部４とを腹合せ状に対向させて互いに対向する一方の端部、即ち、固定支持部３の一端部に可動支持部４の一端部を内外方向に回動自在に枢着５している。この場合、例えば、固定支持部３の一端部における下半部を切除する一方、可動支持部４の対向端部における上半部を切除して互いに上下に重ね合わせた状態で枢着することにより、固定支持部３の内周面と可動支持部４の内周面とが互いに上下に偏位することなく、一定の上下幅でもって円周方向に円形に連続するように形成している。
【００２３】
さらに、固定支持部３と可動支持部４との自由端部である互いに対向した他端部において、固定支持部３の他端部の上下部をＬ字状に切除して細幅端部３ａに形成してあり、この細幅端部３ａの外周面に、該細幅端部３ａの先端（他端）から基端に向かって小間隔毎に複数個（図においては３個）の鋸歯状係止片５ａ、５ｂ、５ｃを突設、形成している一方、可動支持部４の他端部の内周面に、これらの鋸歯状係止片５ａ、５ｂ、５ｃのいずれか一つの係止片に係止する一個の係止爪６を内方に向かって突設した状態で形成している。
【００２４】
固定支持部３の細幅端部３ａの外周面に形成されている上記鋸歯状係止片５ａ〜５ｃは、その長さ方向を細幅端部３ａの上下端面間の幅方向に向けていると共にこの半円環状固定支持部３の開口端側、即ち、細幅端部３ａの端面側に面している各鋸歯状係止片５ａ〜５ｃの傾斜面は、図３に示すように、先端（頂端）から基端に向かって細幅端部３ａの法線に対して該細幅端部３ａの端面側に傾斜させたガイド面５ａ１　〜５ｃ１　に形成していると共に、各鋸歯状係止片５ａ〜５ｃの反対側の傾斜面、即ち、細幅端部３ａの基端側に面した傾斜面も、上記ガイド面５ａ１　〜５ｃ１　と同一方向、即ち、先端（頂端）から基端に向かって細幅端部３ａの法線に対して該細幅端部３ａの端面側、即ち、固定支持部３の開口側に向かって傾斜させた係止面５ａ２　〜５ｃ２　に形成している。
【００２５】
一方、上記可動支持部４の他端部は図３、図４に示したように、外側方に向かって円弧状に膨出４ａされていると共にこの膨出部４ａの内面上下端部に内面が可動支持部４の内周面と面一状に連続した上下突出壁部４ｂ、４ｃを形成して、これらの膨出部４ａの内面と上下突出壁部４ｂ、４ｃとで囲まれた部分を上記固定支持部３の細幅端部３ａを受け入れる凹部７に形成してあり、さらに、この凹部７における内周面延長方向に開口した開口端７ａの内面に上記係止爪６を形成している。そして、固定支持部３の細幅端部３ａを凹部７に挿入させて複数個の鋸歯状係止片５ａ〜５ｃにおける一つの鋸歯状係止片に可動支持部４の上記係止爪６を係止させた状態においては、細幅端部３ａが上下突出壁部４ｂ、４ｃによって上下方向に妄動するのを規制され、且つ、固定支持部３と可動支持部４との内周面が周方向に面一状に連続するように構成している。
【００２６】
さらに、可動支持部４の上記凹部７の内周面に形成している係止爪６は、凹部７の内周面側からその先端にゆくに従って、この可動支持部４の法線に対して該可動支持部４の開口側とは反対方向に傾斜した傾斜係止面６ａに形成している。従って、この係止爪６を上記鋸歯状係止片５ａ〜５ｃの係止面５ａ２　〜５ｃ２　に係止させると、これらの係止面５ａ２　〜５ｃ２　と６ａとが互いに食い込む方向に作用し、離脱することがなく常に強固な係止を保持するようになる。
【００２７】
また、上記可動支持部４における膨出部４ａの端部には指掛け片部４ｄが延設されており、図５乃至図７に示したように、上記係止爪６が上記鋸歯状係止片５ａ〜５ｃのいずれか一つに係止した状態において指掛け片部４ｄと上記固定支持部３の他端部の外周面との間に隙間８が形成されるように構成されていると共に、この隙間８に指を挿入して上記膨出部４ａを固定支持部３の外周面から離間させる方向に引っ張ることにより、上記係止爪６を鋸歯状係止片５ａ〜５ｃから離脱させることができるように構成されている。
【００２８】
そして、図５に示したように、上記可動支持部４の他端部の凹部内面に突設している係止爪６を、上記固定支持部３の細幅端部３ａの外周面において最も固定支持部３の開口方向側に形成されている上記鋸歯状係止片５ａに係止させると、これらの固定支持部３と可動支持部４との内周面で形成される円環状支持体１の内径が、大径の竪樋Ｂを抱持状態で固定することができる径となり、また、図６に示すように、係止爪６を次の鋸歯状係止片５ｂに係止させると、上記円環状支持体１の内径が縮小されて上記竪樋Ｂよりも外径が小さい竪樋を固定できる径となる。
【００２９】
同様に、図７に示したように、上記係止爪６を、上記細幅端部３ａの最も基端側に突設している鋸歯状係止片５ｃに係止させると、上記円環状支持体１の内径が最小径となるまで縮小され、上記いずれの竪樋よりも外径が小さい竪樋を抱着、固定できるように構成されている。
【００３０】
次に、上記竪樋保持具Ａを用いて建築物の外壁面Ｃに竪樋Ｂを配設する要領について説明する。この竪樋保持具Ａにおける固定杆２を建築物の外側面Ｃの所定箇所に打ち込むことによって固定すると共に、固定支持部３の細幅端部３ａの外周面に突設している鋸歯状係止片５ａ〜５ｃから可動支持部４の対向端部の凹部７内面に突設している係止爪６を外して該可動支持部４を固定支持部３との枢着部５を中心として外側方に回動させることにより、固定支持部３を開口させる。
【００３１】
次いで、竪樋Ｂを固定支持部３内に挿入してこの固定支持部３の内周面と対向する外周面における一半円部分を固定支持部３の内周面に受止させる。しかるのち、可動支持部４を固定支持部３との枢着部５を中心として、該可動支持部４を固定支持部３の開口端を閉止する方向に回動操作させて該可動支持部４の半円環状内周面を竪樋Ｂ外周面における他半円部分に被せると共に、その他端部に形成している凹部７内に固定支持部３の細幅端部３ａを挿入させ、該凹部７の内面に設けている係止爪６を細幅端部３ａの外周面に突設している複数個の鋸歯状係止片５ａ〜５ｃのうち、最初の鋸歯状係止片５ａのガイド面５ａ１　に当接させる。
【００３２】
この状態から、可動支持部４をさらに竪樋Ｂを締め付ける方向、即ち、細幅端部３ａを凹部７内に深く進入させる方向に押し進めると、係止爪６が最初の鋸歯状係止片５ａのガイド面５ａ１　に摺接しながら該鋸歯状係止片５ａを乗り越えてこの鋸歯状係止片５ａの係止面５ａ２　に係止する。この際、竪樋Ｂが大径である場合には、係止爪６が最初の鋸歯状係止片５ａの係止面５ａ２　に係止した時に、可動支持部４の内周面が該竪樋Ｂの外周面における他半円部分に圧接した状態となり、係止爪６がそれ以上押し進められることなく固定支持部３と可動支持部４との内周面を竪樋Ｂの外周面に全面的に且つ均一に圧接させ、これらの可動支持部４と固定支持部３とによって竪樋Ｂの指定箇所を強固に抱着、固定させる。
【００３３】
また、竪樋Ｂが小径の場合には、係止爪６が最初の鋸歯状係止片５ａに係止した状態では可動支持部４の内周面と竪樋Ｂの外周面における他半円部分との間に隙間が生じるので、その内周面が竪樋Ｂの外周面における他半円部分に圧接するまで、該可動支持部４をさらに竪樋Ｂ側に押し進めてその係止爪６を次の鋸歯状係止片５ｂ、５ｃの係止面５ｂ２　、５ｃ２　に順次係止させるものである。
【００３４】
このように、固定支持部３と可動支持部４とからなる円環状支持体１の内径は竪樋Ｂの外径に応じて縮径してその内周面を該竪樋Ｂの外周面に適度な締め付け力でもって全面的に圧接し、竪樋Ｂを安定的に支持、固定させるものである。そして、この固定状態においては、可動支持部４の締付力の反力が、該可動支持部４を開放させようとする方向に作用するが、鋸歯状係止片５ａ〜５ｃや係止爪６は剛性を有する硬質合成樹脂からなり、且つ、係止爪６における傾斜係止面６ａを可動支持部４の中心に向かう法線に対して該係止爪６の突出端（先端）に向かうに従って該可動支持部４の開口側とは反対側に傾斜させている一方、鋸歯状係止片５ａ〜５ｃの係止面５ａ２　〜５ｃ２　を固定支持部３の中心に向かう法線に対して突出端（先端）から基端にゆくに従って可動支持部４の開口側に傾斜した傾斜面に形成しているので、これらの係止爪６と鋸歯状係止片５ａ〜５ｃとは互いに食い込もうとする方向に作動し、竪樋Ｂに対する締付力が一層強固となるものである。
【００３５】
なお、竪樋Ｂを円環状支持体１から取り外したい場合は、可動支持部４の膨出部４ａから突設している指掛け片部４ｄに指を引っかけて可動支持部４を拡径する方向に撓ませれば、係止爪６が鋸歯状係止片５ａ〜５ｃから外れて竪樋Ｂの抱持を開放することができる。
【００３６】
また、上記実施の形態においては、固定支持部３の細幅端部３ａの外周面に複数個の鋸歯状係止片５ａ〜５ｃを突設する一方、可動支持部４の自由端部における凹部７の内周面にひとつの係止爪６を内方に向けて突設しているが、固定支持部３の細幅端部３ａの外周面に係止爪６を、可動支持部４の凹部７の内周面に複数個の鋸歯状係止片５ａ〜５ｃを突設しておいてもよい。
【００３７】
【発明の効果】
以上のように本発明の竪樋保持具によれば、請求項１に記載したように、竪樋を固定する円環状支持体は硬質合成樹脂製であって、半円環状の固定支持部と可動支持部とに分割され、可動支持部の一端部を上記固定支持部の一端部に回動自在に枢着していると共に、この固定支持部の円弧状に湾曲した他端部外周面に鋸歯状係止片を形成している一方、可動支持部における他端部の内周面に係止爪を形成しているので、固定支持部の半円環状の内面で竪樋の外周面における一半円部を受止させた状態からこの竪樋の他半円部分に可動支持部を上記枢着部を支点として回動操作するだけで、該可動支持部を竪樋の他半円部分に被せることができると同時に、該可動支持部の係止爪を固定支持部の鋸歯状係止片に自動的に且つワンタッチで係止させることができ、竪樋固定作業が能率よく且つ正確に行うことができる。
【００３８】
さらに、可動支持部の他端部の内周面に突設している上記係止爪の係止面を、円環状支持体の中心に向かう法線に対して該可動支持部の開口側とは反対方向に傾斜させて傾斜係止面に形成している一方、上記固定支持部の他端部外周面に突設した複数個の鋸歯状係止片の係止面を、法線に対して先端から基端にゆくに従って該固定支持部の開口側に向かって傾斜した傾斜面に形成しているので、これらの係止爪と鋸歯状係止片とが係止した状態において、可動支持部の竪樋に対する締付力の反力や地震等の振動力が、該可動支持部を開放させようとする方向に作用しても、その作用力が係止爪をさらに鋸歯状係止片に食い込ませる方向に働いて竪樋が一層強固に締付けられ、可動支持部を固定支持部側に押しつけておく部材などを不要にして常に強固に固定しておくことができる。
【００３９】
その上、可動支持部の係止爪を固定支持部の鋸歯状係止片に係止させる際に、可動支持部を竪樋の締付け方向、即ち、この可動支持部と固定支持部とによって形成される円環状の内周面を縮径させる方向に回動操作すると、係止爪における係止面とは反対側の傾斜面が鋸歯状係止片の係止面とは反対側の傾斜面に乗り上げながら通過して円滑に竪樋の固定作業を行うことができると共に、鋸歯状係止片は固定支持部の他端部において周方向に小間隔毎に設けているので、これらの鋸歯状係止片の対する可動支持部の係止爪の係止位置によって固定支持部と可動支持部との内周面により形成される円形状の孔の径が大小に変化し、外径の異なる数種類の竪樋に対してもこの保持具によって簡単且つ確実に固定することができるものである。
【００４０】
また、請求項２に係る発明によれば、数個の鋸歯状係止片を設けている上記固定支持部の他端部における上下部を切除して細幅端部に形成する一方、係止爪を設けている可動支持部の他端部に上記固定支持部の細幅端部を受け入れてこの細幅端部の内周面と可動支持部の内周面とを段差を生じさせることなく面一状に連接させる凹部を形成し、この凹部の内面に係止爪を形成しているので、可動支持部を回動操作して固定支持部と共に竪樋を固定させる際に、該可動支持部の凹部の開口端が固定支持部の細幅端部の端面に自動的に合致して可動支持部を上下方向に変動させることなく、細幅端部を凹部内に正確に挿入させることができると共に細幅端部の内周面が可動支持部の内周面に円弧方向に面一状に連続して竪樋の外周面にこれらの固定支持部と可動支持部との内周面を全面的に且つ均一に圧接させることができ、安定した強固な竪樋の固定が可能となるものである。
【図面の簡単な説明】
【図１】竪樋を固定する竪樋保持具の斜視図、
【図２】可動支持部を開放させた状態の斜視図、
【図３】可動支持部と固定支持部との対向端部を分離させている状態の断面図、
【図４】可動支持部の凹部を内面側からみた斜視図、
【図５】係止爪を最初の鋸歯状係止片に係止させた状態の断面図、
【図６】係止爪を次の鋸歯状係止片に係止させた状態の断面図、
【図７】係止爪を最後の鋸歯状係止片に係止させた状態の断面図、
【図８】建築物の外壁面に取付けた状態の斜視図。
【符号の説明】
Ａ　竪樋保持具
Ｂ　竪樋
１　円環状支持体
２　固定杆
３　固定支持部
３ａ　細幅端部
４　可動支持部
５ａ〜５ｃ　鋸歯状係止片
６　係止爪
７　凹部
【図１】
2004076270.tif 000003
【図２】
2004076270.tif 000004
【図３】
2004076270.tif 000005
【図４】
2004076270.tif 000006
【図５】
2004076270.tif 000007
【図６】
2004076270.tif 000008
【図７】
2004076270.tif 000009
【図８】
2004076270.tif 000010